(57)【要約】【課題】電界通信を用いた電界通信ゲートシステムにおいて、通信品質の劣化を防止するとともに、誤動作を防止する。【解決手段】電界通信ゲートシステムであって、ユーザＵ１が携帯する電界通信端末１と、電界通信装置２と、電界通信装置２に接続される信号電極３およびグランド電極４とを備え、信号電極３はゲート５の近傍の床に配置され、グランド電極４はゲート５に配置され、電界通信端末１を携帯したユーザＵ１が信号電極３に接触した場合、電界通信端末１と電界通信装置２との間で電界通信が行われ、電界通信端末１から送信される信号に基づいてゲート５を制御する。【選択図】図１
2015023446.tif 000002
【特許請求の範囲】
【請求項１】
電界通信を用いてゲートを制御する電界通信ゲートシステムであって、
ユーザが携帯する電界通信端末と、
前記電界通信端末と、送信すべき情報に基づく電界を電界伝達媒体に誘起させるとともに、この誘起した電界を検出して情報の送受信を行う電界通信装置と、
前記電界通信装置に接続される信号電極およびグランド電極と、を備え、
前記信号電極は、前記ゲートの近傍の床に配置され、
前記グランド電極は、前記ゲートに配置され、
前記電界通信端末を携帯したユーザが前記信号電極に接触した場合、前記電界通信端末と前記電界通信装置との間で電界通信が行われ、前記電界通信端末から送信される信号に基づいて前記ゲートを制御すること
を特徴とする電界通信ゲートシステム。
【請求項２】
電界通信を用いてゲートを制御する電界通信ゲートシステムであって、
ユーザが携帯する電界通信端末と、
前記電界通信端末と、送信すべき情報に基づく電界を電界伝達媒体に誘起させるとともに、この誘起した電界を検出して情報の送受信を行う電界通信装置と、
前記電界通信装置に接続される信号電極およびグランド電極と、を備え、
前記信号電極は、前記ゲートの近傍の床に配置され、
前記グランド電極は、前記信号電極の両側に設けられた側壁、または前記側壁および前記ゲートに配置され、
前記電界通信端末を携帯したユーザが前記信号電極に接触した場合、前記電界通信端末と前記電界通信装置との間で電界通信が行われ、前記電界通信端末から送信される信号に基づいて前記ゲートを制御すること
を特徴とする電界通信ゲートシステム。
【請求項３】
請求項１または２に記載の電界通信ゲートシステムであって、
前記信号電極が配置される床は、前記信号電極および前記グランド電極との容量結合が小さくなるように構成されること
を特徴とする電界通信ゲートシステム。
【請求項４】
請求項１から３のいずれか一項に記載の電界通信ゲートシステムであって、
前記ゲートは、フラッパー式ゲートまたは自動扉であること
を特徴とする電界通信ゲートシステム。
【請求項５】
請求項１から４のいずれか一項に記載の電界通信ゲートシステムであって、
前記信号電極および前記グランド電極と、前記床との間に低誘電体を配置して、前記床を前記信号電極および前記グランド電極との容量結合が小さくなるように構成すること
を特徴とする電界通信ゲートシステム。
【請求項６】
請求項１から４のいずれか一項に記載の電界通信ゲートシステムであって、
前記信号電極と前記床との間に低誘電体を配置し、前記グランド電極と前記ゲートとの間に低誘電体を配置して、前記床を前記信号電極および前記グランド電極との容量結合が小さくなるように構成すること
を特徴とする電界通信ゲートシステム。
【請求項７】
請求項１から６のいずれか一項に記載の電界通信ゲートシステムであって、
前記グランド電極は、前記床から離して設置すること
を特徴とする電界通信ゲートシステム。
【発明の詳細な説明】
【技術分野】
【０００１】
本発明は、送信すべき情報に基づく電界を電界伝達媒体に誘起させるとともにこの誘起した電界を検出して情報の送受信を行う電界通信を用いた電界通信ゲートシステムに関する。
【背景技術】
【０００２】
近年において、送信すべき情報に基づく電界を人体などの電界伝達媒体に誘起させるとともにこの誘起した電界を検出して情報の送受信を行う電界通信に関する研究がなされている。このような電界通信を用いた電界通信装置については、例えば、特許文献１に記載されている。
【先行技術文献】
【特許文献】
【０００３】
【特許文献１】特開２００１−３５２２９８号公報
【発明の概要】
【発明が解決しようとする課題】
【０００４】
さて、このような電界通信装置を用いてゲートやドアの開閉を行う場合、以下のような問題がある。すなわち、ゲートの前にいる電界通信装置を所持している人の後ろに近接して、電界通信装置を所持している第三者が存在する場合、通信対象とする人と近接した第三者とが容量結合（カップリング）し、第三者の電界通信用装置からの信号が、通信対象とする人に伝わってしまうことで信号がクロストークし、信号を受信する側の電界通信装置の受信特性の劣化をまねくという問題がある。
【０００５】
また、ゲートの前にいる通信対象者となるべき人は電界通信装置を所持していなく、近接した第三者のみが電界通信装置を所持している場合、第三者の電界通信装置からの信号が誤って受信側の電界通信装置に伝達され、ゲート前にいる人の電界通信装置からの信号であると間違って判断し、ゲートを誤動作してしまうという問題がある。
【０００６】
本発明は、上記課題を解決するためになされたものであり、電界通信を用いた電界通信ゲートシステムにおいて、通信品質の劣化を防止するとともに、誤動作を防止することを目的とする。
【課題を解決するための手段】
【０００７】
上記目的を達成するため、請求項１記載の本発明は、電界通信を用いてゲートを制御する電界通信ゲートシステムであって、ユーザが携帯する電界通信端末と、前記電界通信端末と、送信すべき情報に基づく電界を電界伝達媒体に誘起させるとともに、この誘起した電界を検出して情報の送受信を行う電界通信装置と、前記電界通信装置に接続される信号電極およびグランド電極と、を備え、前記信号電極は、前記ゲートの近傍の床に配置され、前記グランド電極は、前記ゲートに配置され、前記電界通信端末を携帯したユーザが前記信号電極に接触した場合、前記電界通信端末と前記電界通信装置との間で電界通信が行われ、前記電界通信端末から送信される信号に基づいて前記ゲートを制御することを要旨とする。
【０００８】
請求項２記載の本発明は、電界通信を用いてゲートを制御する電界通信ゲートシステムであって、ユーザが携帯する電界通信端末と、前記電界通信端末と、送信すべき情報に基づく電界を電界伝達媒体に誘起させるとともに、この誘起した電界を検出して情報の送受信を行う電界通信装置と、前記電界通信装置に接続される信号電極およびグランド電極と、を備え、前記信号電極は、前記ゲートの近傍の床に配置され、前記グランド電極は、前記信号電極の両側に設けられた側壁、または前記側壁および前記ゲートに配置され、前記電界通信端末を携帯したユーザが前記信号電極に接触した場合、前記電界通信端末と前記電界通信装置との間で電界通信が行われ、前記電界通信端末から送信される信号に基づいて前記ゲートを制御することを要旨とする。
【０００９】
請求項３記載の本発明は、上記電界通信ゲートシステムであって、前記信号電極が配置される床は、前記信号電極および前記グランド電極との容量結合が小さくなるように構成されることを要旨とする。
【００１０】
請求項４記載の本発明は、上記電界通信ゲートシステムであって、前記ゲートは、フラッパー式ゲートまたは自動扉であることを要旨とする。
【００１１】
請求項５記載の本発明は、上記電界通信ゲートシステムであって、前記信号電極および前記グランド電極と、前記床との間に低誘電体を配置して、前記床を前記信号電極および前記グランド電極との容量結合が小さくなるように構成することを要旨とする。
【００１２】
請求項６記載の本発明は、上記電界通信ゲートシステムであって、前記信号電極と前記床との間に低誘電体を配置し、前記グランド電極と前記ゲートとの間に低誘電体を配置して、前記床を前記信号電極および前記グランド電極との容量結合が小さくなるように構成することを要旨とする。
【００１３】
請求項７記載の上記電界通信ゲートシステムであって、前記グランド電極は、前記床から離して設置することを要旨とする。
【発明の効果】
【００１４】
本発明によれば、電界通信を用いた電界通信ゲートシステムにおいて、通信品質の劣化を防止するとともに、誤動作を防止することができる。
【図面の簡単な説明】
【００１５】
【図１】第１の実施形態に係る電界通信ゲートシステムの上面図である。
【図２】第１の実施形態に係る電界通信ゲートシステムの側面図である。
【図３】設置型通信装置２の一例を示す図である。
【図４】グラント電極用の低誘電体の配置例を示す図である。
【図５】通信対象のユーザが携帯型通信装置を携帯していない場合を示す上面図である。
【図６】第２の実施形態に係る電界通信ゲートシステムの上面図である。
【図７】側壁のグラント電極用の低誘電体の配置例を示す図である。
【図８】第１および第２の実施形態の比較例を示す上面図である。
【図９】第１および第２の実施形態の比較例を示す側面図である。
【図１０】第１および第２の実施形態の比較例を示す上面図である。
【図１１】第１および第２の実施形態の比較例を示す側面図である。
【発明を実施するための形態】
【００１６】
以下、本発明の実施形態を、図面を用いて説明する。
【００１７】
＜第１の実施形態＞
図１および図２は、本発明の第１の実施形態である電界通信ゲートシステムを説明するための説明図である。図１は、電界通信ゲートシステムを上から見た上面図であり、図２は、側面から見た側面図である。なお、図２では、容量結合する部分を、キャパシタの記号で表している。
【００１８】
本実施形態の電界通信ゲートシステムは、電界通信を用いてゲートを制御するシステムであって、ユーザ（人体）が携帯する携帯型通信装置（電界通信端末）１と、所定の場所に設置される設置型通信装置（電界通信装置）２と、設置型通信装置２に接続される信号電極３およびグランド電極４と、ゲート５を制御するコンピュータ９（制御装置）とを備える。
【００１９】
そして、携帯型通信装置１を携帯したユーザＵ１が、信号電極３に接触した場合に、ユーザＵ１の人体を介して、携帯型通信装置１と設置型通信装置２との間で電界通信が行われ、携帯型通信装置１から設置型通信装置２に送信される信号に基づいてゲート５を制御（開閉）する。
【００２０】
携帯型通信装置１および設置型通信装置２は、電界信号検出技術を利用していて、送信すべき情報に基づく電界を電界伝達媒体に誘起させ、この誘起した電界を用いて情報の送受信を行うものである。
【００２１】
携帯型通信装置１は、人体などの電界伝達媒体を介して、設置型通信装置２と電界通信を行う装置であって、人体に接する側に配置される人体側電極１１と、人体に接しない空間側に配置される空間側電極１２とを有する。
【００２２】
設置型通信装置２は、人体などの電界伝達媒体を介して、各ユーザが携帯する携帯型通信装置１と電界通信を行う装置である。設置型通信装置２は、例えば図３に示す構成をしており、コンピュータ９からの送信データを入出力（Ｉ／Ｏ）回路９０１を介して受け取ると、この送信データを送信部９０２を介して信号電極３−グランド電極４間に供給し、当該信号電極３およびグランド電極４を介して電界伝達媒体に電界を誘起させ、この電界を電界伝達媒体の他の部位に伝達させる。また、電界伝達媒体に誘起されて伝達されてくる電界を信号電極３およびグランド電極４で検出し、この電界を電界検出部９０５に結合して電気信号に変換する。そして、この電気信号は、信号処理回路９０６で増幅、ノイズ除去などの信号処理を施され、更に波形整形回路９０７で波形整形がなされ、入出力回路９０１を介してコンピュータ９に出力するようになっている。
【００２３】
設置型通信装置２に接続される信号電極３およびグランド電極４は、それぞれ異なる位置に配置する。すなわち、本実施形態では、グランド電極４は、ゲート５に設置される。具体的には、ゲート５を通過しようとしてゲート５の前に立っているユーザＵ１側のゲート５（ユーザＵ１に対向する側）に設置される。また、グランド電極４は、図２に示すように、ユーザＵ１が携帯する携帯型通信装置１の空間側電極１２と容量結合し易い位置に配置するものとする。また、グランド電極４は、床６と接触することなく、床６から離れた位置に設置する。なお、グランド電極４は、設置型通信装置２の回路グランド９０８に接続される。
【００２４】
また、本実施形態では、信号電極３は、ゲート５の近傍の床に設置される。図１および図２に示す例では、信号電極３は、ゲート５の手前であって、ゲート５を通過しようとして当該信号電極３の上に立ったユーザＵ１が携帯する携帯型通信装置１と、ゲート５に配置されたグランド電極４とが容量結合し易い位置に配置するものとする。なお、信号電極３は、設置型通信装置２の入出力端子に接続される。
【００２５】
コンピュータ９は、設置型通信装置２に接続される。コンピュータ９は、信号電極３に接触した通信対象のユーザＵ１が携帯する携帯型通信装置１が送信する信号を、設置型通信装置２を介して受信し、当該信号に基づいてゲート５を制御するための制御信号をゲート５に送信する。
【００２６】
例えば、コンピュータ９は、正当な各ユーザが所有する携帯型通信装置１のＩＤを記憶しておき、設置型通信装置２を介して携帯型通信装置１が送信する信号を受信した場合、当該信号に含まれるＩＤと記憶しておいた正当な各ユーザのＩＤとを照合し、正当なユーザのＩＤの場合にゲート５を開けるための制御信号をゲート５に送信する。一方、受信した信号に含まれるＩＤが正当なユーザのＩＤでない場合にはゲート５を閉じる（または、開けない）ための制御信号をゲート５に送信することが考えられる。
【００２７】
ゲート５は、コンピュータ９から出力される制御信号に従って、当該ゲート５を開閉し、当該ゲート５の先のエリアへのユーザの出入り（入退室）を制御する。ゲート５（開閉部）の形状としては、例えば板状（扉型）、棒状など様々な形状を用いることができる。また、ゲート５の開閉方式としては、例えば、フラッパー式ゲート、自動扉（スライド式ゲート）、遮断機式ゲートなどを用いることができる。また、本実施形態のゲート５には、前述のとおり、設置型通信装置２に接続されるグランド電極４が設置されている。
【００２８】
なお、図１に示す例では、通信対象のユーザＵ１が接触する床の信号電極３の両側に設けられた側壁７を備え、当該側壁７は、ゲート５の開閉部を支持する設備であるものとする。側壁７は、壁面型、棒型、箱型などの様々な形状を用いることができる。
【００２９】
本実施形態の床６は、信号電極３およびグランド電極４との容量結合が小さくなるように構成する。すなわち、信号電極３およびグランド電極４が床６から絶縁されるように構成する。図２に示す例では、信号電極３と床６との間に低誘電体８１を、またグランド電極４と床６との間に低誘電体８２を敷設することで、床６と信号電極３およびグランド電極４との容量結合が小さくなるようにすることができる。
【００３０】
また、ゲート５が床６に接地（接触）している、あるいは、ゲート５と床６との容量結合が強い場合は、図４に示すようにグラント電極４用の低誘電体８２を配置することが考えられる。すなわち、図４（ａ）に示す例では、グランド電極４とゲート５の間に低誘電体８２を配置することで、床６とグランド電極４の容量結合が小さくなるように構成する。
【００３１】
また、図４（ｂ）に示す例では、ゲート５と床６との間に低誘電体８２を配置することで、床６とグランド電極４の容量結合が小さくなるように構成する。図４（ｂ）に示す例では、ゲート５と床６との間だけでなく、ゲート５が接触している近辺の床６の表面にも低誘電体８２を配置しているが、ゲート５が床６に接触する部分の床６のみに低誘電体８２を配置することとしてもよい。
【００３２】
低誘電体８１、８２としては、例えば、ポリプロピレン樹脂等を空気で所定倍程度（例えば３倍程度（樹脂１に対して空気２の割合））に発泡させたものなど、空気を含めた比誘電率が２以下程度になるものを使用する。また、樹脂等と空気は、発泡させるなどして均一に混ざっている必要は無く、樹脂等で形成された柱や枠と、空間（空気）を合わせた空間全体の比誘電率が２以下程度になっていればよい。
【００３３】
また、床６とグランドとの間に空間（空気層）を設ける（例えば、２重床構造とする）ことで、床６を信号電極３およびグランド電極４との容量結合が小さくなるようにすることとしてもよい。
【００３４】
以上説明した電界通信ゲートシステムとすることで、携帯型通信装置１を携帯した通信対象のユーザＵ１（人体）が床面に設置された信号電極３に接触することにより、ゲート５に設置されたグランド電極４と、ユーザＵ１が携帯する携帯型通信装置１（空間側電極１２）とが容量結合し、また、携帯型通信装置１（人体側電極１１）とユーザＵ１とが容量結合する。これにより、グランド電極４と信号電極３との間で、電界伝達媒体であるユーザＵ１を介した電界パス（通信路）が形成される。なお、図２では、電界パスを破線で示している。
【００３５】
すなわち、本実施形態では、グランド電極４をゲート５の位置に配置することにより、グランド電極４と床６との容量結合を弱め、グランド電極４、携帯型通信装置１、ユーザＵ１、信号電極３および設置型通信装置２の閉回路を形成し易くすることができ、携帯型通信装置１と設置型通信装置２との通信品質を向上させることができる。
【００３６】
また、本実施形態の床６は、信号電極３およびグランド電極４との容量結合が小さくなるように構成する。これにより、通信対象のユーザＵ１の後ろに近接しているユーザＵ２が携帯する携帯型通信装置１と、設置型通信装置２に接続されているグランド電極４との間の容量結合を弱くすることができ、ゲート５の前に立っているユーザＵ１の携帯型通信装置１の電界パスに、ユーザＵ２の携帯型通信装置１の信号がクロストークする量を低減することができ、設置型通信装置２の受信特性を改善することができる。
【００３７】
また、図５に示すように、ゲート５前で信号電極３に接触しているユーザＵ１（通信対象であるべきはずのユーザ）が携帯型通信装置１を携帯していなく、ユーザＵ１の後ろのユーザＵ２のみが携帯型通信装置１を携帯している場合が考えられる。このような場合においても、図５に示す本実施形態では、通信対象のユーザＵ１の後ろに近接しているユーザＵ２が携帯する携帯型通信装置１と、設置型通信装置２に接続されているグランド電極４との間の容量結合を弱くなるため、その信号を設置型通信装置２では検出できない程度の微小な信号とすることができる。
【００３８】
したがって、ユーザＵ２の携帯型通信装置１が送信する信号は、設置型通信装置２には伝達されない、または、伝達されても設置型通信装置２が検出できない微小な信号である。このため、本実施形態では、後ろのユーザＵ２が携帯する携帯型通信装置１の信号が設置型通信装置２に伝達され、この信号を用いて、コンピュータ９が誤ってゲート５を制御してしまうという誤動作を回避することができる。
【００３９】
＜第２の実施形態＞
図６は、本発明の第２の実施形態である電界通信ゲートシステムを説明するための説明図である。
【００４０】
本実施形態では、通信対象のユーザＵ１が接触する床の信号電極３の両側に側壁７が設置されている場合に、ゲート５に配置したグランド電極４だけでなく、側壁７にも設置型通信装置２と接続されるグランド電極４１を配置することとする。この点において、第２の実施形態は第１の実施形態と異なり、その他については第１の実施形態と同様である。側壁７は、絶縁物などで構成され、通信対象のユーザＵ１側の側壁７の床６から離れた位置にグランド電極４１が設置される。なお、側壁７に配置されるグランド電極４１は、信号電極３に接触した通信対象のユーザＵ１の位置（例えば、信号電極３の位置）から前方のゲート５までの間であって、後ろのユーザＵ２の側面の側壁７には、グランド電極４１は設置しないものとする。
【００４１】
また、側壁７が導体あるいは高誘電体で構成されている場合、本実施形態の床６は、側壁７のグランド電極４との容量結合が小さくなるように構成する。すなわち、側壁７のグランド電極４１が床６から絶縁されるように構成する。例えば、側壁７が導体あるいは高誘電体で構成され、床６との容量結合が強い場合、図２に示すゲート６に配置されたグランド電極４と同様に、側壁７のグランド電極４１と床６との間に低誘電体を敷設することで、床６とグランド電極４１との容量結合が小さくなるようにすることができる。
【００４２】
また、側壁７が導体あるいは高誘電体で構成されて、床６に接地（接触）している、あるいは、側壁７と床６との容量結合が強い場合は、図７に示すようにグランド電極４１と側壁７の間に低誘電体８２を配置することで、床６とグランド電極４１の容量結合が小さくなるように構成することが考えられる。この場合、図４（ａ）に示すゲート５に配置されたグランド電極４および低誘電体８２と同様に、側壁７のグラント電極４１および低誘電体８２は、床６からを離れた位置に配置されるものとする。
【００４３】
また、図４（ｂ）に示す低誘電体８２と同様に、側壁７と床６との間に低誘電体を配置することで、床６と側壁７のグランド電極４１との容量結合が小さくなるように構成することが考えられる。なお、床６の表面に配置される低誘電体は、図４（ｂ）に示すように側壁７と床６との間だけでなく、側壁７が接触している近辺の床６の表面にも低誘電体を配置してもよいし、あるいは、側壁７が床６に接触する部分の床６のみに低誘電体を配置することとしてもよい。
【００４４】
本実施形態では、ゲート５のグランド電極４だけでなく、通信対象のユーザＵ１の側壁７にもグランド電極４１を配置することで、グランド電極４、４１と携帯型通信装置１の空間側電極１２との容量結合をより強くし、携帯型通信装置１と設置型通信装置２との通信品質をより向上させることができる。
【００４５】
なお、ゲート５にグランド電極４を配置することなく、側壁７のみにグランド電極４１を配置することとしてもよい。また、側壁７に配置されるグランド電極４１は、図６に示すように、両側（両方）の側壁７に設置してもよく、または、いずれか一方の側壁７に設置してもよい。
【００４６】
＜比較例の電界通信ゲートシステム＞
図８から図１１は、第１および第２の本実施形態の比較例の電界通信システムである。比較例の電界通信ゲートシステムでは、信号電極３Ａとグランド電極４Ａとが一体となって床６Ａに配置されている。また、比較例の床６Ａは、第１および第２の実施形態の床６のように信号電極３およびグランド電極４との容量結合が小さくなるように構成されていない。なお、携帯型通信装置１、設置型通信装置２およびコンピュータ９については、第１および第２の実施形態と同様である。
【００４７】
図８および図９では、信号電極３に接触している携帯型通信装置１を携帯するユーザＵ１の後ろに近接して、携帯型通信装置１を携帯しているユーザＵ２が存在する場合を示す。図８に示すように、ゲート５前にいるユーザＵ１が信号電極３に接触しており、ユーザＵ１に近接したユーザＵ２が床６Ａ（グランド）上に立っている。この場合、図９に示すように、ゲート５前にいるユーザＵ１の携帯型通信装置１については、当該携帯型通信装置１の人体側電極１１は、ユーザＵ１（人体）、設置型通信装置２に接続された信号電極３Ａを介して電界パスが形成され、携帯型通信装置１の空間側電極１２は、床６Ａ（グランド）と設置型通信装置２に接続されたグランド電極４Ａとを介して電界パスが形成される。これにより、ユーザＵ１の携帯型通信装置１と設置型通信装置２とが通信可能となる。
【００４８】
一方、ユーザＵ１の後ろのユーザＵ２の携帯型通信装置１については、当該携帯型通信装置１の人体側電極１１は、ユーザＵ２（人体）と、床６Ａ（グランド）と、設置型通信装置２に接続されたグランド電極４Ａとを介して電界パスが形成され、携帯型通信装置１の空間側電極１２は、ゲート５の前にいるユーザＵ１（人体）と、設置型通信装置２に接続された信号電極３Ａとを介して電界パスが形成される。これにより、本来、通信対象としているゲート前のユーザＵ１の携帯型通信装置１の電界パスに、ユーザＵ２の携帯型通信装置１の電界パスによる信号がクロストークしてしまい、設置型通信装置２の受信特性の劣化が生じてしまう。なお、図９の破線は、電界パスを示している。
【００４９】
また、図１０および図１１では、ゲート５前で信号電極３に接触しているユーザＵ１（通信対象であるべきはずのユーザ）が携帯型通信装置１を携帯していなく、ユーザＵ１の後ろのユーザＵ２のみが携帯型通信装置１を携帯している場合を示す。この場合、ユーザＵ２の携帯型通信装置１と、ユーザＵ１とが容量結合することで、ユーザＵ２の携帯型通信装置１から出力される信号が、ユーザＵ１および信号電極３を介して設置型通信装置２に誤って伝達される場合（信号が漏れてしまう場合）がある。すなわち、ユーザＵ２の携帯型通信装置１の人体側電極１１は、ユーザＵ２（人体）、床６Ａ（グランド）を介して電界パスが形成され、空間側電極１２は、ゲート５の前にいるユーザＵ１（人体）と、信号電極３Ａとを介して電界パスが形成されてしまう（図１１の破線）。
【００５０】
これにより、ユーザＵ２の携帯型通信装置１から送信される信号が設置型通信装置２に伝達され、コンピュータ９は、当該ユーザＵ２の設置型通信装置２の信号を、信号電極３に接触しているユーザＵ１の携帯型通信装置１が送信した信号であると誤って判断し、ゲート５を誤動作してしまうという問題がある。
【００５１】
これに対し、第１および第２の本実施形態では、設置型通信装置２に接続されるグランド電極４をゲート５（または、側壁７）の位置に配置する。これにより、信号電極３の上に立った通信対象のユーザＵ１が携帯する携帯型通信装置１と、設置型通信装置２との間の容量結合による閉回路を形成し易くし、携帯型通信装置１と設置型通信装置２との通信品質を向上することができる。
【００５２】
また、グランド電極４を床から離して設置することによって、床６とグランド電極４との容量結合を弱め、通信対象のユーザＵ１の後ろにいるユーザＵ２の携帯型通信装置１と設置型通信装置２との間の容量結合による閉回路ができ難いようにしている。したがって、上記実施形態では、比較例のように、ユーザＵ２の携帯型通信装置１の信号がクロストークしてしまうこと（図８、図９）、また、ユーザＵ２の携帯型通信装置１からの信号を通信対象のユーザＵ１の携帯型通信装置１であると誤って判断してしまうこと（図１０、図１１）などの問題を解消することができる。すなわち、通信品質の劣化を防止するとともに、誤動作を防止することができる。
【００５３】
また、上記実施形態では、床に低誘電体を敷設するなどして、床６と信号電極３およびグランド電極４との容量結合が小さくなるように構成することで、通信対象のユーザＵ１の後ろにいるユーザＵ２の携帯型通信装置１と設置型通信装置２との間の容量結合による閉回路ができ難いようにし、比較例で説明した問題の発生を回避することができる。
【００５４】
なお、本発明は上記実施形態に限定されるものではなく、その要旨の範囲内で数々の変形が可能である。
【符号の説明】
【００５５】
１    携帯型通信装置
１１  人体側電極
１２  空間側電極
２    設置型通信装置
３    信号電極
４、４１  グランド電極
５    ゲート
６    床
７    側壁
８    低誘電体
９    コンピュータ
【図１】
2015023446.tif 000003
【図２】
2015023446.tif 000004
【図３】
2015023446.tif 000005
【図４】
2015023446.tif 000006
【図５】
2015023446.tif 000007
【図６】
2015023446.tif 000008
【図７】
2015023446.tif 000009
【図８】
2015023446.tif 000010
【図９】
2015023446.tif 000011
【図１０】
2015023446.tif 000012
【図１１】
2015023446.tif 000013